(57)【要約】    【課題】  巻取紙の印刷ラインにおいて、ローラ冷却装置は、負荷を減らし、印刷インキの溶剤蒸気による汚れを減らす。    【解決手段】  帯状の印刷紙Ｐは、熱風乾燥装置の乾燥室１を通過して熱風で加熱され、その後、ローラ冷却装置２１の冷却ローラを通過して冷却される印刷ラインにおいて、冷風の吹付けで冷却する冷風冷却装置１１を設けた。冷風冷却装置は、熱風乾燥装置の乾燥室とローラ冷却装置の冷却ローラ２２との間に冷風噴出管１２、１３を設けた。冷風噴出管は、印刷紙の走行通路の上側と下側にそれぞれ配置した。上側の冷風噴出管１２は、印刷紙の上側の紙面に冷風を吹き付ける噴出口１５を設けた。下側の冷風噴出管１３は、印刷紙の下側の紙面に冷風を吹き付ける噴出口１６を設けた。上側と下側の冷風噴出管は、非加熱の空気を送風する冷風供給源１８、１９に接続した。【選択図】  図１
2015110309.tif 000002
【特許請求の範囲】
【請求項１】
帯状の印刷紙は、熱風乾燥装置の乾燥室を通過して熱風で加熱され、その後、ローラ冷却装置の冷却ローラを通過して冷却される印刷ラインにおいて、
印刷紙は、熱風乾燥装置の乾燥室を出た後、ローラ冷却装置の冷却ローラに接触する前に、両側の紙面にそれぞれ冷風を吹き付け、冷風の吹付けで冷却し、冷風の吹付けで随伴中の印刷インキの溶剤蒸気を剥ぎ取ることを特徴とする印刷紙の冷風冷却方法。
【請求項２】
冷風を吹き付ける印刷紙の紙面内位置は、印刷紙の両側の紙面で一致させ、
冷風の吹付けによって印刷紙の片側の紙面を押す力と他の片側の紙面を押す力は、印刷紙の厚さ方向位置を維持する強さにすることを特徴とする請求項１に記載の印刷紙の冷風冷却方法。
【請求項３】
帯状の印刷紙は、熱風乾燥装置の乾燥室を通過して熱風で加熱され、その後、ローラ冷却装置の冷却ローラを通過して冷却される印刷ラインにおいて、
冷風の吹付けで冷却する冷風冷却装置を設け、
冷風冷却装置は、熱風乾燥装置の乾燥室とローラ冷却装置の冷却ローラとの間に冷風噴出管を設け、
冷風噴出管は、印刷紙の走行通路の上側と下側にそれぞれ配置し、
上側の冷風噴出管は、印刷紙の上側の紙面に冷風を吹き付ける噴出口を設け、
下側の冷風噴出管は、印刷紙の下側の紙面に冷風を吹き付ける噴出口を設け、
上側と下側の冷風噴出管は、非加熱の空気を送風する冷風供給源に接続していることを特徴とする印刷紙の冷風冷却装置。
【請求項４】
上側の噴出口と下側の噴出口は、印刷紙の走行通路を挟んで正対する位置にし、
上側の噴出口から出る冷風が印刷紙を下方へ押す力と下側の噴出口から出る冷風が印刷紙を上方へ押す力は、印刷紙を上側の噴出口と下側の噴出口の間に保持する強さにする構成にし、印刷紙の上下方向位置を維持する機能を有していることを特徴とする請求項３に記載の印刷紙の冷風冷却装置。
【請求項５】
上側と下側の噴出口は、熱風乾燥装置の乾燥室とローラ冷却装置の冷却ローラとの間の中間位置に配置し、印刷紙のその間の垂れ下り量を減らす構成にしていることを特徴とする請求項３又は４に記載の印刷紙の冷風冷却装置。
【請求項６】
上側と下側の噴出口は、乾燥室の出口に近接する位置に配置し、乾燥室の出口を上側の噴出口から吹き出る冷風と下側の噴出口から吹き出る冷風で閉鎖する構成にしていることを特徴とする請求項３又は４に記載の印刷紙の冷風冷却装置。
【発明の詳細な説明】
【技術分野】
【０００１】
本発明は、印刷紙を、熱風で乾燥した後、冷風で冷却する空冷技術に関する。
【背景技術】
【０００２】
巻取紙の印刷ラインは、印刷機、熱風乾燥装置、ローラ冷却装置と折機を順次配列している。印刷機では、帯状の紙が巻取紙から引き出され、印刷ローラを通過してインキで印刷される。その帯状の印刷紙は、熱風乾燥装置の乾燥室を通過して熱風で加熱され、紙面に付着した印刷インキが乾燥する。熱風で乾燥した帯状の印刷紙は、ローラ冷却装置の複数の冷却ローラを順次通過して冷却される。冷却ローラとの接触で冷却した帯状の印刷紙は、折機で折り畳まれて裁断される。
【０００３】
印刷紙は、紙面温度が熱風乾燥装置の乾燥室を出る時には１００℃弱になり、ローラ冷却装置を出る時には室温近くになる。ローラ冷却装置は、冷却ローラの吸熱で印刷紙を冷却して紙面温度を室温近くにする。
【０００４】
熱風乾燥装置の乾燥室には、印刷インキの乾燥によって印刷インキの溶剤蒸気が発生する。乾燥室から出る印刷紙は、紙面に溶剤蒸気を随伴してローラ冷却装置に向う。乾燥室から印刷紙と一緒に出る溶剤蒸気は、印刷ラインの作業者の健康を害さない量に制御される。
【先行技術文献】
【特許文献】
【０００５】
【特許文献１】特開平８−３２３９５９号公報
【発明の概要】
【発明が解決しようとする課題】
【０００６】
［課  題］
上記のような巻取紙の印刷ラインでは、帯状の印刷紙を、印刷インキの熱風乾燥の後、室温近くに冷やすローラ冷却装置の負荷が多い。ローラ冷却装置は、負荷を少しでも減らしたい。
【０００７】
また、ローラ冷却装置では、冷却ローラに接触する印刷紙に印刷インキの溶剤蒸気が随伴していると、その溶剤蒸気が冷却されてタール化し、印刷紙や冷却ローラを汚すことになる。印刷紙に随伴する溶剤蒸気は、冷却ローラに接触する前に、少しでも減らしたい。
【０００８】
［着  想］
帯状の印刷紙は、熱風乾燥装置の乾燥室を出た後、ローラ冷却装置の冷却ローラに接触する前に、両側の紙面にそれぞれ冷風を吹き付けることにした。冷風の吹付けで冷却する冷風冷却装置を設けることにした。印刷紙は、ローラ冷却装置で冷却する前に、冷風の吹付けで冷却する。また、印刷紙に随伴する溶剤蒸気は、ローラ冷却装置の冷却ローラに接触する前に、冷風の吹付けで剥ぎ取る。
【０００９】
熱風乾燥装置の乾燥室を出た印刷紙は、冷風の吹付けで温度を下げて溶剤蒸気の随伴量を減らした状態で、ローラ冷却装置に入る。ローラ冷却装置は、印刷紙の冷却開始温度の低下で負荷が減少する。また、溶剤蒸気の随伴量の低下で印刷紙や冷却ローラの汚れが減少する。
【００１０】
更に、冷風を吹き付ける印刷紙の紙面内位置は、印刷紙の両側の紙面で一致させる。冷風の吹付けによって印刷紙の片面を押す力と他の片面を押す力は、印刷紙の厚さ方向位置を維持する強さにする。すると、印刷紙は、厚さ方向位置が変動し難い。波打ちし難い。
【００１１】
具体的な構成は、次の通りである。
冷風冷却装置は、熱風乾燥装置の乾燥室とローラ冷却装置の冷却ローラとの間に冷風噴出管を設ける。冷風噴出管は、印刷紙の走行通路の上側と下側にそれぞれ配置する。上側の冷風噴出管は、印刷紙の上側の紙面に冷風を吹き付ける噴出口を設ける。下側の冷風噴出管は、印刷紙の下側の紙面に冷風を吹き付ける噴出口を設ける。上側と下側の冷風噴出管は、非加熱の空気を送風する冷風供給源に接続する。
【００１２】
また、上側の噴出口と下側の噴出口は、印刷紙の走行通路を挟んで正対する位置にする。上側の噴出口から出る冷風が印刷紙を下方へ押す力と下側の噴出口から出る冷風が印刷紙を上方へ押す力は、印刷紙を上側の噴出口と下側の噴出口の間に保持する強さにする。すると、印刷紙の上下位置を維持することができる。印刷紙は、上下位置が移動し難い。波打ちし難い。
【００１３】
更に、熱風乾燥装置の乾燥室とローラ冷却装置の冷却ローラとの間の距離が長くて印刷紙のその間の垂れ下りが大きくなる場合、冷風冷却装置は、上側と下側の噴出口を熱風乾燥装置の乾燥室とローラ冷却装置の冷却ローラとの間の中間位置に配置する。すると、印刷紙の垂れ下り量を減らすことができる。
【００１４】
また、冷風冷却装置は、上側と下側の噴出口を乾燥室の出口に近接する位置に配置する。すると、乾燥室の出口は、上側の噴出口から吹き出る冷風と下側の噴出口から吹き出る冷風で閉鎖される状態になる。乾燥室内の印刷インキ溶剤蒸気を含む熱気が出口から漏れ出し難くなる。
【課題を解決するための手段】
【００１５】
１．帯状の印刷紙は、熱風乾燥装置の乾燥室を通過して熱風で加熱され、その後、ローラ冷却装置の冷却ローラを通過して冷却される印刷ラインにおいて、
印刷紙は、熱風乾燥装置の乾燥室を出た後、ローラ冷却装置の冷却ローラに接触する前に、両側の紙面にそれぞれ冷風を吹き付け、冷風の吹付けで冷却し、冷風の吹付けで随伴中の印刷インキの溶剤蒸気を剥ぎ取ることを特徴とする印刷紙の冷風冷却方法。
２．上記１の印刷紙の冷風冷却方法において、
冷風を吹き付ける印刷紙の紙面内位置は、印刷紙の両側の紙面で一致させ、
冷風の吹付けによって印刷紙の片側の紙面を押す力と他の片側の紙面を押す力は、印刷紙の厚さ方向位置を維持する強さにすることを特徴とする。
３．帯状の印刷紙は、熱風乾燥装置の乾燥室を通過して熱風で加熱され、その後、ローラ冷却装置の冷却ローラを通過して冷却される印刷ラインにおいて、
冷風の吹付けで冷却する冷風冷却装置を設け、
冷風冷却装置は、熱風乾燥装置の乾燥室とローラ冷却装置の冷却ローラとの間に冷風噴出管を設け、
冷風噴出管は、印刷紙の走行通路の上側と下側にそれぞれ配置し、
上側の冷風噴出管は、印刷紙の上側の紙面に冷風を吹き付ける噴出口を設け、
下側の冷風噴出管は、印刷紙の下側の紙面に冷風を吹き付ける噴出口を設け、
上側と下側の冷風噴出管は、非加熱の空気を送風する冷風供給源に接続していることを特徴とする印刷紙の冷風冷却装置。
４．上記３の印刷紙の冷風冷却装置において、
上側の噴出口と下側の噴出口は、印刷紙の走行通路を挟んで正対する位置にし、
上側の噴出口から出る冷風が印刷紙を下方へ押す力と下側の噴出口から出る冷風が印刷紙を上方へ押す力は、印刷紙を上側の噴出口と下側の噴出口の間に保持する強さにする構成にし、印刷紙の上下方向位置を維持する機能を有していることを特徴とする。
５．上記３又は４の印刷紙の冷風冷却装置において、
上側と下側の噴出口は、熱風乾燥装置の乾燥室とローラ冷却装置の冷却ローラとの間の中間位置に配置し、印刷紙のその間の垂れ下り量を減らす構成にしていることを特徴とする。
６．上記３又は４の印刷紙の冷風冷却装置において、
上側と下側の噴出口は、乾燥室の出口に近接する位置に配置し、乾燥室の出口を上側の噴出口から吹き出る冷風と下側の噴出口から吹き出る冷風で閉鎖する構成にしていることを特徴とする。
【発明の効果】
【００１６】
熱風乾燥装置の乾燥室を出た印刷紙は、冷風の吹付けで温度を下げて印刷インキの溶剤蒸気の随伴量を減らした状態で、ローラ冷却装置に入る。ローラ冷却装置は、印刷紙の冷却開始温度の低下で負荷が減少する。また、溶剤蒸気の随伴量の低下で印刷紙や冷却ローラの汚れが減少する。
【図面の簡単な説明】
【００１７】
【図１】本発明の実施形態の第１例における印刷紙の冷風冷却装置の側面図。
【図２】図１のＡ−Ａ線矢視図。
【図３】実施形態の第２例における印刷紙の冷風冷却装置の側面図。
【図４】図３のＢ−Ｂ線矢視図。
【発明を実施するための形態】
【００１８】
［第１例（図１、図２参照）］
印刷ラインでは、図１に示すように、印刷機を通過した帯状の印刷紙Ｐは、熱風乾燥装置の乾燥室１を通過して熱風で加熱され、冷風冷却装置１１を通過して冷風の吹付けで温度を下げて印刷インキ溶剤蒸気の随伴量を減らし、ローラ冷却装置２１の複数の冷却ローラを順次通過して冷却され、折機９に至る。
【００１９】
本例の冷風冷却装置１１は、図１と図２に示すように、熱風乾燥装置の乾燥室１の出口２とローラ冷却装置２１の第１冷却ローラ２２との間の中間位置に２本の冷風噴出管１２、１３を設けている。２本の冷風噴出管１２、１３は、端部をスタンド１４の上端部に固定し、印刷紙Ｐの走行通路の上側と下側に、印刷紙Ｐの幅方向に沿って水平に配置している。
【００２０】
上側の冷風噴出管１２は、印刷紙Ｐの上側の紙面に冷風を吹き付ける下向きの噴出口１５を設けている。下側の冷風噴出管１３は、印刷紙Ｐの下側の紙面に冷風を吹き付ける上向きの噴出口１６を設けている。上側と下側の冷風噴出管１２、１３は、送風管１７を介して冷風供給源１８、１９に接続している。冷風供給源は、外部の空気を冷却器１８で冷却して送風機１９で送風する構成にしている。
【００２１】
上側の下向きの噴出口１５と下側の上向きの噴出口１６は、印刷紙Ｐの幅方向に沿って細長く、同形同寸にしている。そして、印刷紙Ｐの走行通路を挟んで近接し、かつ、印刷紙Ｐの走行通路を挟んで正対する位置に配置している。上側の下向きの噴出口１５から吹き出る冷風が印刷紙Ｐを下方へ押す力と下側の上向きの噴出口１６から吹き出る冷風が印刷紙Ｐを上方へ押す力は、印刷紙Ｐを上側の噴出口１５と下側の噴出口１６の間に保持する強さにする構成にしている。
【００２２】
また、上側の噴出口１５と下側の噴出口１６は、印刷紙Ｐの走行通路を横断する横長長方形状のスリットにして、印刷紙Ｐの幅より長くしている。印刷紙Ｐの全幅に亘って冷風を吹き付ける構成にしている。
【００２３】
ローラ冷却装置２１は、複数の冷却ローラを並列して印刷紙Ｐの幅方向に沿って水平に配置している。第１冷却ローラ２２は、印刷紙Ｐが最初に接触する上端を乾燥室１の出口２から出る印刷紙Ｐと同じ高さにしている。印刷紙Ｐの走行通路は、乾燥室１の出口２と第１冷却ローラ２２の上端の間を水平にしている。
【００２４】
ローラ冷却装置２１には、冷却ローラ２２、２３、２４を内部から冷却する水冷装置２５、２６を設けている。水冷装置は、冷却水循環式にし、冷却ローラから戻ってきた冷却水を冷却器２５で冷却し、ポンプ２６で押し出して冷却ローラに供給する。冷却水は、ポンプ２６から第３冷却ローラ２４の一端に入り、第３冷却ローラ２４の他端から出て第２冷却ローラ２３の一端に入り、第２冷却ローラ２３の他端から出て第１冷却ローラ２２の一端に入り、第１冷却ローラ２２の他端から出て冷却器２５に戻る。
【００２５】
冷風冷却装置１１を作動する通常運転の実験例は、次の通りである。
印刷紙Ｐの紙面温度は、印刷紙Ｐが乾燥室の出口２を出た直後の第１測定点４１で９７℃になり、冷風冷却装置１１を通過してローラ冷却装置２１に入る直前の第２測定点４２で８１℃、ローラ冷却装置２１の第３冷却ローラ２４を通過した直後の第３測定点４３で３４℃、ローラ冷却装置２１を出て折機９に入る直前の第４測定点４４で２７℃になる。ローラ冷却装置２１は、印刷紙Ｐの冷却開始温度が８１℃になる。第３冷却ローラ２４、第２冷却ローラ２３と第１冷却ローラ２２及び水冷装置２５、２６を循環する冷却水は、流量を２２０Ｌ／ｍｉｎにし、温度をポンプ２６で送り出す時に２４℃にする。冷却器２５に戻ってきた時には、流量が同じで、温度が２６℃になる。ローラ冷却装置２１の循環冷却水は、印刷紙Ｐの熱を吸収して温度が２℃上昇する。
【００２６】
この実験運転例に対する比較例、冷風冷却装置１１を作動しない運転例は、条件を次の通りにする。
冷風冷却装置１１は、冷風供給源１８、１９の作動を停止する。印刷紙Ｐの紙面温度は、印刷紙Ｐが乾燥室の出口２を出た直後の第１測定点４１と折機９に入る直前の第４測定点４４で同じ９７℃と２７℃にする。ローラ冷却装置２１の循環冷却水は、流量を同じ２２０Ｌ／ｍｉｎにし、ポンプ２６で送り出す時の温度を同じ２４℃にする。
【００２７】
この比較運転例は、結果が次の通りになる。
印刷紙Ｐの紙面温度は、印刷紙Ｐがローラ冷却装置２１に入る直前の第２測定点４２で８９℃になり、第３測定点４３で同じ３４℃になる。ローラ冷却装置２１は、印刷紙Ｐの冷却開始温度が冷風冷却装置１１の作動時より８℃高くなる。循環冷却水は、冷却器２５に戻ってきた時の温度が２６．４℃になる。印刷紙Ｐの熱を吸収して温度が２．４℃上昇する。循環冷却水は、冷却器２５に戻ってきた時の温度が冷風冷却装置１１の作動時より０．４℃高くなる。冷却器２５の冷却負荷が増加する。
結局、冷風冷却装置１１の作動時には、ローラ冷却装置２１は、印刷紙Ｐの冷却開始温度が低下して冷却負荷が減少する。
【００２８】
本例の冷風冷却装置１１は、印刷紙Ｐの両側の紙面に吹き付ける冷風で、印刷紙Ｐの噴出口１５、１６通過部分の厚さ方向位置、上下方向位置を上側と下側の噴出口１５、１６の間に維持する。印刷紙Ｐの保持機能がある。従って、乾燥室の出口２とローラ冷却装置の第１冷却ローラ２２との間の距離が長くて印刷紙Ｐのその間の垂れ下りが大きくなる場合、その垂れ下り量が最大になる位置に上側と下側の噴出口１５、１６を配置する。すると、印刷紙Ｐのその間の垂れ下り量を減らすことができる。
【００２９】
［第２例（図３、図４参照）］
本例の冷風冷却装置１１は、図３と図４に示すように、上下の冷風噴出管１２、１３を乾燥室１の出口側の壁３に取り付けている。第１例におけるスタンド１４を不要にしている。
【００３０】
乾燥室１の出口側の壁３は、横長長方形状の出口２を貫通し、出口２の上側位置と下側位置にそれぞれ上側の冷風噴出管１２と下側の冷風噴出管１３を出口２に沿って配置している。
【００３１】
印刷紙Ｐは、乾燥室の出口２を出た途端に、上側の紙面に上側の冷風噴出管１２の下向きの噴出口１５から冷風を吹き付けられると共に、下側の紙面に下側の冷風噴出管１３の上向きの噴出口１６から冷風を吹き付けられる。乾燥室１を出た印刷紙Ｐは、第１例におけるのと同様に、冷風の吹付けで温度を下げて印刷インキ溶剤蒸気の随伴量を減らした状態で、ローラ冷却装置２１に入る。
【００３２】
上下の噴出口１５、１６は、乾燥室１の出口２に近接する位置に配置している。乾燥室１の出口２は、上側のスリット形状の噴出口１５から吹き出る冷風のカーテンと下側のスリット形状の噴出口１６から吹き出る冷風のカーテンで閉鎖される状態になる。その結果、乾燥室１内の印刷インキ溶剤蒸気を含む熱気が出口２から漏れ出し難い。
その他の点は、第１例におけるのと同様である。第１例におけるのと同様な部分には、図中、第１例におけるのと同一の符号を付ける。
【００３３】
［変形例］
本発明は、上記の実施形態に限定されない。次のような変形が例示される。
１．上記の実施形態において、冷風冷却装置１１では、上下の冷風噴出管１２、１３に供給する冷風用空気は、冷却器１８で室温より低い温度にしているが、室温の空気にする。
２．上記の実施形態において、上下の噴出口１５、１６は、単数の細長い長孔にしているが、複数の小孔を線状に配列する。
３．上記の実施形態の第１例において、冷風噴出管１２、１３は、スタンド１４で片持ち状に支持しているが、両端を支持する。
【符号の説明】
【００３４】
Ｐ  印刷紙
１  熱風乾燥装置の乾燥室
２  乾燥室の出口
３  乾燥室の出口側の壁
９  折機
１１  冷風冷却装置
１２、１３  冷風噴出管
１２  上側の冷風噴出管
１３  下側の冷風噴出管
１４  スタンド
１５  上側の下向きの噴出口
１６  下側の上向きの噴出口
１７  送風管
１８、１９  冷風供給源
１８  冷却器
１９  送風機
２１  ローラ冷却装置
２２  第１冷却ローラ
２３  第２冷却ローラ
２４  第３冷却ローラ
２５、２６  水冷装置
２５  冷却器
２６  ポンプ
４１  印刷紙が乾燥室出口を出た直後の第１測定点
４２  ローラ冷却装置に入る直前の第２測定点
４３  第３冷却ローラを通過した直後の第３測定点
４４  ローラ冷却装置を出て折機に入る直前の第４測定点
【図１】
2015110309.tif 000003
【図２】
2015110309.tif 000004
【図３】
2015110309.tif 000005
【図４】
2015110309.tif 000006